(57)【要約】【課題】超伝導加速空洞の加工装置及び方法において、設備コストの増加を抑制すると共に加工精度の向上を図る。【解決手段】研磨液循環装置３１と、研磨液循環装置３１の研磨液を超伝導加速空洞１２の下部から内部に供給する研磨液供給ラインＬ１１と、超伝導加速空洞１２の内部に供給された研磨液を超伝導加速空洞１２の上部から前記研磨液循環装置３１に戻す研磨液戻しラインＬ１２と、超伝導加速空洞１２における研磨液の流動方向における一部の温度を調整する温度調整装置３２とを備える。【選択図】図２
2019192539.tif 000002
【特許請求の範囲】
【請求項１】
研磨液循環装置と、
前記研磨液循環装置の研磨液を超伝導加速空洞の下部から内部に供給する研磨液供給ラインと、
前記超伝導加速空洞の内部に供給された研磨液を前記超伝導加速空洞の上部から前記研磨液循環装置に戻す研磨液戻しラインと、
前記超伝導加速空洞における前記研磨液の流動方向における一部の温度を調整する温度調整装置と、
を備えることを特徴とする超伝導加速空洞の加工装置。
【請求項２】
前記温度調整装置は、前記超伝導加速空洞の下部側または上部側の温度を調整することを特徴とする請求項１に記載の超伝導加速空洞の加工装置。
【請求項３】
前記温度調整装置は、前記超伝導加速空洞の周方向における一部の温度を調整することを特徴とする請求項１または請求項２に記載の超伝導加速空洞の加工装置。
【請求項４】
前記温度調整装置は、加熱装置であることを特徴とする請求項１から請求項３のいずれか一項に記載の超伝導加速空洞の加工装置。
【請求項５】
前記加熱装置は、電気ヒータであることを特徴とする請求項４に記載の超伝導加速空洞の加工装置。
【請求項６】
前記加熱装置は、前記超伝導加速空洞と前記超伝導加速空洞の外側に配置される冷媒槽との隙間空間に熱媒体を供給する熱媒体供給装置であることを特徴とする請求項４に記載の超伝導加速空洞の加工装置。
【請求項７】
前記温度調整装置は、前記超伝導加速空洞の下部側を加熱する前記加熱装置と、前記超伝導加速空洞の上部側の冷却する冷却装置とを有することを特徴とする請求項４から請求項６のいずれか一項に記載の超伝導加速空洞の加工装置。
【請求項８】
前記研磨液循環装置は、研磨液を貯留する貯留槽と、前記研磨液供給ラインに研磨液を供給するポンプと、前記貯留槽に貯留される研磨液を冷却する研磨液冷却装置とを有することを特徴とする請求項４から請求項７のいずれか一項に記載の超伝導加速空洞の加工装置。
【請求項９】
前記超伝導加速空洞の内面に対する研磨液の流動方向における研磨厚さ偏差を計測する研磨厚さ計測センサと、予め設定された研磨時間に対する研磨厚さ偏差のマップと前記研磨厚さ計測センサの計測結果に基づいて前記温度調整装置を制御する制御装置とが設けられることを特徴とする請求項１から請求項８のいずれか一項に記載の超伝導加速空洞の加工装置。
【請求項１０】
前記超伝導加速空洞の内面に対する研磨液の流動方向における研磨厚さ偏差を計測する研磨厚さ計測センサと、予め設定された研磨時間に対する研磨厚さ偏差のマップと前記研磨厚さ計測センサの計測結果に基づいて前記研磨液循環装置により前記超伝導加速空洞に供給する研磨液の供給量を制御する制御装置とが設けられることを特徴とする請求項１から請求項９のいずれか一項に記載の超伝導加速空洞の加工装置。
【請求項１１】
前記研磨液供給ラインを流動する研磨液の温度を計測する第１温度センサと、前記研磨液戻しラインを流動する研磨液の温度を計測する第２温度センサとが設けられ、前記制御装置は、前記第１温度センサと前記第２温度センサの計測結果に基づいて前記温度調整装置または前記研磨液循環装置を制御することを特徴とする請求項９または請求項１０のいずれか一項に記載の超伝導加速空洞の加工装置。
【請求項１２】
前記研磨液循環装置により前記超伝導加速空洞に供給する研磨液の供給量を計測する流量センサが設けられ、前記制御装置は、前記流量センサの計測結果に基づいて前記研磨液循環装置を制御することを特徴とする請求項１０に記載の超伝導加速空洞の加工装置。
【請求項１３】
研磨液を超伝導加速空洞の下部から内部に供給すると共に上部から排出する工程と、
前記超伝導加速空洞における研磨液の流動方向における一部の温度を調整する工程と、
を有することを特徴とする超伝導加速空洞の加工方法。
【発明の詳細な説明】
【技術分野】
【０００１】
本発明は、超伝導加速空洞の加工装置及び方法に関するものである。
【背景技術】
【０００２】
電子や陽子などの荷電粒子を超伝導加速空洞により加速する超伝導加速器が知られている。この超伝導加速器は、超伝導材料で形成された超伝導加速空洞を冷媒で冷却することで超伝導化する。これにより超伝導加速空洞の電気抵抗がほぼゼロになり、電力損失なく荷電粒子の加速を効率良く行うことができる。
【０００３】
この超伝導加速器で用いられる超伝導加速空洞は、ニオブ金属などの超伝導材料により構成され、内部の空洞の内面に対して化学研磨や高圧水洗浄などの処理がなされて清浄化された後に組み立てられる。この化学研磨処理は、タンクに充填された研磨液をポンプにより超伝導加速空洞の内部に循環させることで、研磨液とニオブ金属の化学反応により超伝導空洞の内面を研磨するものであり、清浄な金属表面を得ることができる。
【０００４】
このような超伝導加速器としては、例えば、下記特許文献に記載されたものがある。
【先行技術文献】
【特許文献】
【０００５】
【特許文献１】特許第３７４６６１１号公報
【発明の概要】
【発明が解決しようとする課題】
【０００６】
ところで、超伝導加速器では、加速空洞内にマイクロ波を導入して粒子の加速を行うために、複数の超伝導加速空洞内に同じ周波数のマイクロ波を導入する必要がある。そのため、複数の超伝導加速空洞の共振周波数を、超伝導加速空洞へ投入するマイクロ波の周波数に調整する必要がある。一般的には、超伝導加速空洞の内面を機械的に変形させることにより共振するマイクロ波の周波数の調整を行っている。しかしながら、超伝導加空洞の種類によっては、外力によりつぶすなどの機械的変形では、周波数の調整感度が悪く有効な手段ではない。また、超伝導加空洞によっては、化学研磨により内面の上半分を研磨すると共振周波数が下がり、下半分を研磨すると共振周波数が上がるものがある。このような周波数の調整方法としては、例えば、超伝導加速空洞の下部から内部に所定の高さまで排出ノズルを挿入し、この状態で内部に研磨液を供給する。すると、超伝導加速空洞に供給された研磨液は、排出ノズルの挿入高さで排出されるため、この位置に研磨液の液面が形成される。そのため、超伝導加速空洞は、下部から内部に所定の高さまでの内面だけが研磨されることとなり、共振周波数が調整される。
【０００７】
このように超伝導加速空洞は、内面清浄化のために空洞内部の全面に渡って化学研磨処理を実施した後、超伝導加速空洞の共振周波数を調整するために空洞内部の一部の面に対して化学研磨処理を実施している。そのため、超伝導加速空洞に対して、研磨液を循環するための２つの循環系統が必要となり、設備コストが増加してしまう。また、内面清浄化のための化学研磨処理を実施した面と、共振周波数を調整するための化学研磨処理を実施した面との間に不連続部としての段差が生じてしまう。すると、超伝導加速空洞内にマイクロ波を投入したとき、この段差に電界が集中して異常放電が発生するおそれがある。
【０００８】
本発明は、上述した課題を解決するものであり、設備コストの増加を抑制すると共に加工精度の向上を図る超伝導加速空洞の加工装置及び方法を提供することを目的とする。
【課題を解決するための手段】
【０００９】
上記の目的を達成するための本発明の超伝導加速空洞の加工装置は、研磨液循環装置と、前記液循環装置の研磨液を超伝導加速空洞の下部から内部に供給する研磨液供給ラインと、前記超伝導加速空洞の内部に供給された研磨液を前記超伝導加速空洞の上部から前記前記研磨液循環装置に戻す研磨液戻しラインと、前記超伝導加速空洞における前記研磨液の流動方向における一部の温度を調整する温度調整装置と、を備えることを特徴とするものである。
【００１０】
従って、研磨液循環装置の研磨液を研磨液供給ラインにより超伝導加速空洞の下部から内部に供給すると、超伝導加速空洞は、内部に供給される研磨液の液面が上昇し、研磨液戻しラインに排出され、研磨液がこの研磨液戻しラインにより研磨液循環装置に戻される。この研磨液が超伝導加速空洞の内部を上方に流動するとき、温度調整装置が超伝導加速空洞における研磨液の流動方向における一部の温度を調整する。すると、超伝導加速空洞は、内面に研磨液が流動しながら接触することで化学反応により研磨処理が施され、内面が凹凸のない平坦面に加工される。また、超伝導加速空洞は、一部の温度が調整されることから、この一部に接触する研磨液の温度が上昇または下降し、一部とその他の部分での研磨厚さが相違することとなり、共振周波数が調整される。その結果、研磨液の循環系統を一系統として設備コストの増加を抑制することができると共に、超伝導加速空洞における不連続な段差の発生を抑制して加工精度の向上を図ることができる。
【００１１】
本発明の超伝導加速空洞の加工装置では、前記温度調整装置は、前記超伝導加速空洞の下部側または上部側の温度を調整することを特徴としている。
【００１２】
従って、超伝導加速空洞の下部側と上部側で研磨厚さを相違させることで、共振周波数を容易に調整することができる。
【００１３】
本発明の超伝導加速空洞の加工装置では、前記温度調整装置は、前記超伝導加速空洞の周方向における一部の温度を調整することを特徴としている。
【００１４】
従って、超伝導加速空洞の内部に欠陥が生じているとき、この欠陥部に温度調整装置を配置することで、欠陥部が積極的に化学研磨され、局所的な欠陥がなだらかな内面となり、異常発熱の原因を取り除き、超伝導状態を維持することができる。
【００１５】
本発明の超伝導加速空洞の加工装置では、前記温度調整装置は、加熱装置であることを特徴としている。
【００１６】
従って、温度調整装置としての加熱装置により超伝導加速空洞を加熱する部分での研磨厚さを、他の部分での研磨厚さに比べて大きくすることで、共振周波数を容易に調整することができる。
【００１７】
本発明の超伝導加速空洞の加工装置では、前記加熱装置は、電気ヒータであることを特徴としている。
【００１８】
従って、加熱装置を電気ヒータとすることで、構造の簡素化を図ることができる。
【００１９】
本発明の超伝導加速空洞の加工装置では、前記加熱装置は、前記超伝導加速空洞と前記超伝導加速空洞の外側に配置される冷媒槽との隙間空間に熱媒体を供給する熱媒体供給装置であることを特徴としている。
【００２０】
従って、熱媒体供給装置により既存の隙間空間に対して熱媒体を供給して超伝導加速空洞を加熱することで、設備コストの増加を抑制することができる。
【００２１】
本発明の超伝導加速空洞の加工装置では、前記温度調整装置は、前記超伝導加速空洞の下部側を加熱する前記加熱装置と、前記超伝導加速空洞の上部側の冷却する冷却装置とを有することを特徴としている。
【００２２】
従って、加熱装置により超伝導加速空洞の下部側を加熱し、冷却装置により超伝導加速空洞の上部側を冷却することで、超伝導加速空洞内を上昇する研磨液の温度差を確保し、超伝導加速空洞の下部側と上部側での研磨厚さ偏差を大きくして共振周波数を容易に調整することができる。
【００２３】
本発明の超伝導加速空洞の加工装置では、前記研磨液循環装置は、研磨液を貯留する貯留槽と、前記研磨液供給ラインに研磨液を供給するポンプと、前記貯留槽に貯留される研磨液を冷却する研磨液冷却装置とを有することを特徴としている。
【００２４】
従って、研磨液冷却装置により貯留槽に貯留される研磨液を冷却することで、超伝導加速空洞に供給する研磨材を常時最適温度に維持することができる。
【００２５】
本発明の超伝導加速空洞の加工装置では、前記超伝導加速空洞の内面に対する研磨液の流動方向における研磨厚さ偏差を計測する研磨厚さ計測センサと、予め設定された研磨時間に対する研磨厚さ偏差のマップと前記研磨厚さ計測センサの計測結果に基づいて前記温度調整装置を制御する制御装置とが設けられることを特徴としている。
【００２６】
従って、温度調整装置を研磨時間に対する研磨厚さ偏差のマップに基づいて制御されることから、超伝導加速空洞の共振周波数を高精度に調整することができると共に、超伝導加速空洞における不連続な段差の発生を抑制して加工精度の向上を図ることができる。
【００２７】
本発明の超伝導加速空洞の加工装置では、前記超伝導加速空洞の内面に対する研磨液の流動方向における研磨厚さ偏差を計測する研磨厚さ計測センサと、予め設定された研磨時間に対する研磨厚さ偏差のマップと前記研磨厚さ計測センサの計測結果に基づいて前記研磨液循環装置により前記超伝導加速空洞に供給する研磨液の供給量を制御する制御装置とが設けられることを特徴としている。
【００２８】
従って、研磨液循環装置を研磨時間に対する研磨厚さ偏差のマップに基づいて制御されることから、超伝導加速空洞の共振周波数を高精度に調整することができると共に、超伝導加速空洞における不連続な段差の発生を抑制して加工精度の向上を図ることができる。
【００２９】
本発明の超伝導加速空洞の加工装置では、前記研磨液供給ラインを流動する研磨液の温度を計測する第１温度センサと、前記研磨液戻しラインを流動する研磨液の温度を計測する第２温度センサとが設けられ、前記制御装置は、前記第１温度センサと前記第２温度センサの計測結果に基づいて前記温度調整装置または前記研磨液循環装置を制御することを特徴としている。
【００３０】
従って、研磨液供給ラインを流動する研磨液の温度と研磨液戻しラインを流動する研磨液の温度に応じて温度調整装置または研磨液循環装置を制御することから、超伝導加速空洞の共振周波数を高精度に調整することができる。
【００３１】
本発明の超伝導加速空洞の加工装置では、前記研磨液循環装置により前記超伝導加速空洞に供給する研磨液の供給量を計測する流量センサが設けられ、前記制御装置は、前記流量センサの計測結果に基づいて前記研磨液循環装置を制御することを特徴としている。
【００３２】
従って、超伝導加速空洞に供給する研磨液の供給量に基づいて研磨液循環装置を制御することから、超伝導加速空洞の共振周波数を高精度に調整することができる。
【００３３】
また、本発明の超伝導加速空洞の加工方法は、研磨液を超伝導加速空洞の下部から内部に供給すると共に上部から排出する工程と、前記超伝導加速空洞における前記研磨液の流動方向における一部の温度を調整する工程と、を有することを特徴とするものである。
【００３４】
従って、超伝導加速空洞は、一部の温度が調整されることから、この一部に接触する研磨液の温度が上昇または下降し、一部とその他の部分での研磨厚さが相違することとなり、共振周波数が調整される。その結果、研磨液の循環系統を一系統として設備コストの増加を抑制することができると共に、超伝導加速空洞における不連続な段差の発生を抑制して加工精度の向上を図ることができる。
【発明の効果】
【００３５】
本発明の超伝導加速空洞の加工装置及び方法によれば、設備コストの増加を抑制することができると共に、加工精度の向上を図ることができる。
【図面の簡単な説明】
【００３６】
【図１】図１は、第１実施形態の超伝導加速器を表す概略図である。
【図２】図２は、第１実施形態の超伝導加速空洞の加工装置を表す概略図である。
【図３】図３は、研磨液温度に対する単位時間当たりの研磨厚さを表すグラフである。
【図４】図４は、第２実施形態の超伝導加速空洞の加工装置を表す概略図である。
【図５】図５は、第３実施形態の超伝導加速空洞の加工装置を表す概略図である。
【図６】図６は、第４実施形態の超伝導加速空洞の加工装置を表す概略図である。
【図７】図７は、第５実施形態の超伝導加速空洞の加工装置を表す概略図である。
【図８】図８は、第６実施形態の超伝導加速空洞の加工装置を表す概略図である。
【図９】図９は、研磨時間に対する研磨厚さ偏差を表すグラフである。
【発明を実施するための形態】
【００３７】
以下、添付図面を参照して、本発明に係る超伝導加速空洞の加工装置及び方法の好適な実施形態を詳細に説明する。なお、この実施形態により本発明が限定されるものではなく、また、実施形態が複数ある場合には、各実施形態を組み合わせて構成するものも含むものである。
【００３８】
［第１実施形態］
まず、超伝導加速器について説明する。図１は、第１実施形態の超伝導加速器を表す概略図である。
【００３９】
図１に示すように、超伝導加速器１０は、例えば、同軸１／４波長型超伝導加速器（ＱＷＲ：Ｑｕａｒｔｅｒ  Ｗａｖｅ  Ｒｅｓｏｎａｔｏｒ）である。超伝導加速器１０は、冷媒槽１１と、超伝導加速空洞（以下、加速空洞）１２とを備える。加速空洞１２は、内部空間Ｒ１を有し、電子や陽子などの荷電粒子からなる荷電粒子ビームＢを加速するものである。加速空洞１２は、冷媒槽１１内に配置される。冷媒槽１１は、加速空洞１２との間の隙間空間Ｒ２を有し、この隙間空間Ｒ２に冷媒が充填される。
【００４０】
冷媒槽１１は、鉛直方向に沿う中心軸Ｃ１を有する中空円柱形状をなす真空容器であり、円筒部１１ａと、上端部１１ｂと、下端部１１ｃとから構成されている。冷媒槽１１は、上端部１１ｂに冷媒供給口２０が設けられる。冷媒槽１１は、この冷媒供給口２０から隙間空間Ｒ２に冷媒（例えば、液体ヘリウムなど）が供給され、加速空洞１２の外周面に接触する。
【００４１】
加速空洞１２は、ニオブなどの超伝導材料により形成され、鉛直方向に連続する中空チャンバ形状をなしている。この加速空洞１２は、冷媒槽１１の内面との間に隙間空間Ｒ２が確保されている。また、加速空洞１２は、下部に鉛直方向に沿って中心軸Ｃ１に直交する中心軸Ｃ２を有するビーム導入管２１とビーム導出管２２が配置されている。ビーム導入管２１とビーム導出管２２は、円筒形状をなし、中心軸Ｃ２の方向に対向する位置に設けられている。ビーム導入管２１とビーム導出管２２は、一端部が加速空洞１２に連通し、他端部が径方向の外方に向かって延出し、冷媒槽１１の円筒部１１ａを貫通して外方に突出している。
【００４２】
加速空洞１２は、中心軸Ｃ１に沿って鉛直方向の下方に延出するステム２３が設けられている。ステム２３は、加速空洞１２の上端部から下方に向かって凹み、上方から下方に向けて内径が徐々に小さくなっている。ステム２３は、下端部に中心軸Ｃ２に沿ってビーム流通管部２４が形成されている。ビーム流通管部２４は、ビーム導入管２１およびビーム導出管２２と同軸状に設けられている。ステム２３は、下端部にビーム流通管部２４が設けられることで、環状流路２５が形成される。
【００４３】
加速空洞１２は、上端部に冷媒槽１１の上端部１１ｂを貫通して接続口２６が設けられている。加速空洞１２は、この接続口２６を通して図示しない真空ポンプなどが接続可能となっており、真空ポンプにより真空引きすることで加速空洞１２の内部を真空状態とすることができる。
【００４４】
また、加速空洞１２は、下端部に冷媒槽１１の下端部１１ｃを貫通して入力結合部２７が設けられている。加速空洞１２は、入力結合部２７から高周波の電力が入力されることで、内部空間Ｒ１に荷電粒子ビームＢを加速する電界が発生する。
【００４５】
このように構成された超伝導加速器１０は、冷媒槽１１の隙間空間Ｒ２に供給された冷媒によって加速空洞１２が冷却され、超伝導状態とされる。荷電粒子ビームＢは、加速空洞１２のビーム導入管２１から加速空洞１２内に入り、ステム２３のビーム流通管部２４を経てビーム導出管２２から加速空洞１２の外部に送り出される。超伝導加速器１０は、荷電粒子ビームＢの粒子流路に沿って複数連接される。隣接する超伝導加速器１０同士は、一方の超伝導加速器１０のビーム導入管２１と他方の超伝導加速器１０のビーム導出管２２が接続管を介し接続される。
【００４６】
次に、第１実施形態の超伝導加速空洞の加工装置及び方法について説明する。図２は、第１実施形態の超伝導加速空洞の加工装置を表す概略図、図３は、研磨液温度に対する研磨厚さ偏差を表すグラフである。
【００４７】
図２に示すように、超伝導加速空洞の加工装置３０は、研磨液循環装置３１と、研磨液供給ラインＬ１１と、研磨液戻しラインＬ１２と、温度調整装置３２を備えている。
【００４８】
研磨液循環装置３１は、貯留槽４１と、ポンプ４２と、研磨液冷却装置４３とを有している。貯留槽４１は、内部に所定量の研磨液を貯留することができる。ここで、研磨液とは、例えば、フッ化水素酸と硝酸とリン酸の混合液である。研磨液供給ラインＬ１１は、一端部が貯留槽４１に接続され、他端部が超伝導加速器１０における超伝導加速空洞１２の下部に設けられる入力結合部２７に接続される。研磨液戻しラインＬ１２は、一端部が超伝導加速器１０における超伝導加速空洞１２の上部に設けられる接続口２６に接続され、他端部が貯留槽４１に接続される。ポンプ４２は、研磨液供給ラインＬ１１に設けられており、貯留槽４１の研磨液を研磨液供給ラインＬ１１により超伝導加速空洞１２に供給するものである。
【００４９】
研磨液冷却装置４３は、熱交換器であり、貯留槽４１に貯留される研磨液を冷却するものである。研磨液冷却装置４３は、熱交換部４４と、冷却水供給ラインＬ１３と、冷却水戻しラインＬ１４と、冷却水迂回ラインＬ１５と、ポンプ４５と、三方弁４６とを有している。熱交換部４４は、貯留槽４１の研磨液内に配置されている。冷却水供給ラインＬ１３は、一端部が研磨液冷却装置４３に接続され、他端部が熱交換部４４に接続されている。冷却水戻しラインＬ１４は、一端部が熱交換部４４に接続され、他端部が研磨液冷却装置４３に接続されている。冷却水迂回ラインＬ１５は、一端部が冷却水供給ラインＬ１３の中途部に接続され、他端部が冷却水戻しラインＬ１４の中途部に接続されている。ポンプ４５は、冷却水供給ラインＬ１３における冷却水迂回ラインＬ１５の接続部より研磨液冷却装置４３側に設けられている。三方弁４６は、冷却水供給ラインＬ１３と冷却水迂回ラインＬ１５の接続部に設けられている。
【００５０】
温度調整装置３２は、超伝導加速空洞１２における研磨液の流動方向における一部の温度を調整するものである。温度調整装置３２は、超伝導加速器１０の下部側における外側に配置される。温度調整装置３２は、ジャケット式の電気ヒータ４７であって、超伝導加速器１０における冷媒槽１１の下部の外面全周を被覆するように装着される。温度調整装置３２としての電気ヒータ４７は、冷媒槽１１を介して超伝導加速空洞１２の下部を加熱して温度を調整する。この場合、冷媒槽１１と超伝導加速空洞１２との間の隙間空間Ｒ２に熱伝導部材を充填しておくことが望ましい。
【００５１】
そのため、研磨液循環装置３１にて、ポンプ４２を駆動して貯留槽４１の研磨液を研磨液供給ラインＬ１１から入力結合部２７を介して超伝導加速空洞１２の下部に供給する。すると、超伝導加速空洞１２は、下部から研磨液が充填されて液面が上昇し、研磨液が上部の接続口２６を介して研磨液戻しラインＬ１２に排出され、研磨液戻しラインＬ１２により貯留槽４１に戻される。このとき、温度調整装置３２としての電気ヒータ４７が作動することで、冷媒槽１１を介して超伝導加速空洞１２の下部を加熱する。
【００５２】
超伝導加速空洞１２は、ニオブ金属などの超伝導材料により構成され、内面に研磨液が流動しながら接触することで化学反応により研磨処理が施され、内面が凹凸のない平坦面に加工される。また、超伝導加速空洞１２は、下部が電気ヒータ４７により加熱されることから、下部の内面に接触する研磨液も加熱されて温度が上昇する。図３に示すように、研磨液温度に対する単位時間当たりの研磨厚さは、研磨液温度の上昇に伴って増加する傾向にある。すると、超伝導加速空洞１２は、下部の内面における研磨厚さが上部の内面における研磨厚さより大きくなる。そのため、超伝導加速空洞１２は、上部と下部で内径が相違することとなり、共振周波数が調整される。
【００５３】
このとき、図２に示すように、電気ヒータ４７により超伝導加速空洞１２の下部を加熱することで研磨液の温度が上昇するが、研磨液は、超伝導加速空洞１２の内部を上昇することから、超伝導加速空洞１２の下部と上部の温度偏差は小さい。そのため、超伝導加速空洞１２は、下部の内面と上部の内面との研磨厚さ偏差は小さく、大きな段差が形成されることはない。また、研磨液冷却装置４３は、ポンプ３５を駆動し、冷却水を冷却水供給ラインＬ１３から熱交換部４４に供給することで、貯留槽４１に貯留される研磨液を冷却する。このとき、三方弁３６により熱交換部４４に供給する冷却水量を調整することで、貯留槽４１に貯留される研磨液の温度を適正温度に維持することができ、常時、所定温度の研磨液を超伝導加速空洞１２に供給することができる。
【００５４】
このように第１実施形態の超伝導加速空洞の加工装置にあっては、研磨液循環装置３１と、研磨液循環装置３１の研磨液を超伝導加速空洞１２の下部から内部に供給する研磨液供給ラインＬ１１と、超伝導加速空洞１２の内部に供給された研磨液を超伝導加速空洞１２の上部から前記研磨液循環装置３１に戻す研磨液戻しラインＬ１２と、超伝導加速空洞１２における研磨液の流動方向における一部の温度を調整する温度調整装置３２とを備える。
【００５５】
従って、超伝導加速空洞１２は、温度調整装置３２により一部の温度が調整されることから、この一部に接触する研磨液の温度が上昇または下降し、一部とその他の部分での研磨厚さが相違することとなり、共振周波数が調整される。その結果、研磨液の循環系統を一系統として設備コストの増加を抑制することができると共に、超伝導加速空洞１２における不連続な段差の発生を抑制して加工精度の向上を図ることができる。
【００５６】
第１実施形態の超伝導加速空洞の加工装置では、温度調整装置３２は、超伝導加速空洞１２の下部側の温度を調整する。従って、超伝導加速空洞１２の下部側と上部側で研磨厚さを相違させることで、共振周波数を容易に調整することができる。
【００５７】
第１実施形態の超伝導加速空洞の加工装置では、温度調整装置３２を加熱装置としての電気ヒータ４７としている。従って、超伝導加速空洞１２を加熱する部分での研磨厚さ促進させることで、共振周波数を容易に調整することができる。また、構造の簡素化を図ることができる。
【００５８】
第１実施形態の超伝導加速空洞の加工装置では、研磨液循環装置３１として、研磨液を貯留する貯留槽４１と、研磨液供給ラインＬ１１に研磨液を供給するポンプ４２と、貯留槽４１に貯留される研磨液を冷却する研磨液冷却装置４３とを有する。従って、研磨液冷却装置４３により貯留槽４１に貯留される研磨液を冷却することで、超伝導加速空洞１２に供給する研磨材を常時最適温度に維持することができる。
【００５９】
また、第１実施形態の超伝導加速空洞の加工方法にあっては、研磨液を超伝導加速空洞１２の下部から内部に供給すると共に上部から排出する工程と、超伝導加速空洞１２における研磨液の流動方向における一部の温度を調整する工程とを有する。
【００６０】
従って、超伝導加速空洞１２は、一部の温度が調整されることから、この一部に接触する研磨液の温度が上昇または下降し、一部とその他の部分での研磨厚さが相違することとなり、共振周波数が調整される。その結果、研磨液の循環系統を一系統として設備コストの増加を抑制することができると共に、超伝導加速空洞１２における不連続な段差の発生を抑制して加工精度の向上を図ることができる。
【００６１】
［第２実施形態］
図４は、第２実施形態の超伝導加速空洞の加工装置を表す概略図である。なお、上述した実施形態と同様の機能を有する部材には、同一の符号を付して詳細な説明は省略する。
【００６２】
第２実施形態において、図４に示すように、超伝導加速空洞の加工装置３０Ａは、研磨液循環装置３１と、研磨液供給ラインＬ１１と、研磨液戻しラインＬ１２と、温度調整装置３２を備えている。ここで、研磨液循環装置３１と研磨液供給ラインＬ１１と研磨液戻しラインＬ１２は、第１実施形態とほぼ同様の構成であることから、説明は省略する。
【００６３】
温度調整装置３２は、超伝導加速空洞１２における研磨液の流動方向における一部の温度を調整するものである。温度調整装置３２は、超伝導加速器１０の上部側における外側に配置される。温度調整装置３２としての電気ヒータ４７は、冷媒槽１１を介して超伝導加速空洞１２の上部を加熱して温度を調整する。
【００６４】
そのため、研磨液循環装置３１により研磨液を研磨液供給ラインＬ１１から超伝導加速空洞１２の下部に供給し、上部から研磨液戻しラインＬ１２により貯留槽４１に戻す。このとき、温度調整装置３２としての電気ヒータ４７が作動することで、冷媒槽１１を介して超伝導加速空洞１２の上部を加熱する。
【００６５】
超伝導加速空洞１２は、内面に研磨液が流動しながら接触することで化学反応により研磨処理が施され、内面が凹凸のない平坦面に加工される。また、超伝導加速空洞１２は、上部が電気ヒータ４７により加熱されることから、上部の内面に接触する研磨液も加熱されて温度が上昇する。すると、超伝導加速空洞１２は、上部の内面における研磨厚さが下部の内面における研磨厚さより大きくなる。そのため、超伝導加速空洞１２は、上部と下部で内径が相違することとなり、共振周波数が調整される。
【００６６】
このとき、電気ヒータ４７により超伝導加速空洞１２の上部を加熱することで研磨液の温度が上昇するが、研磨液は、超伝導加速空洞１２の内部を上昇することから、超伝導加速空洞１２の下部と上部の温度偏差は大きい。そのため、超伝導加速空洞１２は、下部の内面と上部の内面との研磨厚さ偏差は大きく、大きな段差が形成することができる。但し、研磨液は、下部を流動する領域と上部を流動する領域で局所的に大きく温度変化するものではないことから、超伝導加速空洞１２の内面に不連続な段差が発生することはない。
【００６７】
このように第２実施形態の超伝導加速空洞の加工装置にあっては、温度調整装置３２は、超伝導加速空洞１２の上部側の温度を調整する加熱装置としての電気ヒータ４７である。従って、超伝導加速空洞１２の下部側と上部側で研磨厚さを相違させることで、共振周波数を容易に調整することができる。また、研磨液は、超伝導加速空洞１２の内部を上昇し、温度調整装置３２が超伝導加速空洞１２の上部側、つまり、下流側の温度を調整することから、超伝導加速空洞１２の下部と上部での温度偏差が大きくなり、研磨厚さ偏差を大きくすることができる。
【００６８】
［第３実施形態］
図５は、第３実施形態の超伝導加速空洞の加工装置を表す概略図である。なお、上述した実施形態と同様の機能を有する部材には、同一の符号を付して詳細な説明は省略する。
【００６９】
第３実施形態において、図５に示すように、超伝導加速空洞の加工装置３０Ｂは、研磨液循環装置３１と、研磨液供給ラインＬ１１と、研磨液戻しラインＬ１２と、温度調整装置３２を備えている。ここで、研磨液循環装置３１と研磨液供給ラインＬ１１と研磨液戻しラインＬ１２は、第１実施形態とほぼ同様の構成であることから、説明は省略する。
【００７０】
温度調整装置３２は、超伝導加速空洞１２における研磨液の流動方向における一部の温度を調整するものである。温度調整装置３２は、超伝導加速器１０の軸方向及び周方向における一部の温度を調整するものである。温度調整装置３２は、超伝導加速器１０の軸方向の中間部で周方向における一部における外側に配置される。温度調整装置３２としての電気ヒータ４７は、冷媒槽１１を介して超伝導加速空洞１２の一部を加熱して温度を調整する。
【００７１】
超伝導加速空洞１２は、素材であるニオブ材料の内部に欠陥が生じていることがあり、この欠陥が化学研磨によって表面に露出し、表面に局所的なくぼみが形成される。超伝導加速空洞１２は、局所的なくぼみがあると、マイクロ波を導入したときに局所的な発熱の原因となり、超伝導状態を維持することができずに性能が低下してしまう。そのため、本実施形態では、この局所的なくぼみに対応する領域に温度調整装置３２（電気ヒータ４７）を配置する。すると、超伝導加速空洞１２の局所的なくぼみが温度調整装置３２により加熱されることで、この領域が積極的に化学研磨され、局所的なくぼみがなだらかな内面となり、異常発熱の原因を取り除き、超伝導状態を維持することができるようになる。なお、度調整装置３２の作用効果は、第１実施形態とほぼ同様の構成であることから、説明は省略する。
【００７２】
このように第３実施形態の超伝導加速空洞の加工装置にあっては、温度調整装置３２は、超伝導加速空洞１２の周方向における一部の温度を調整する加熱装置としての電気ヒータ４７である。従って、超伝導加速空洞１２の内部に欠陥が生じているとき、この欠陥部に電気ヒータ４７を配置することで、欠陥部が積極的に化学研磨され、局所的な欠陥がなだらかな内面となり、異常発熱の原因を取り除き、超伝導状態を維持することができる。
【００７３】
［第４実施形態］
図６は、第４実施形態の超伝導加速空洞の加工装置を表す概略図である。なお、上述した実施形態と同様の機能を有する部材には、同一の符号を付して詳細な説明は省略する。
【００７４】
第４実施形態において、図６に示すように、超伝導加速空洞の加工装置３０Ｃは、研磨液循環装置３１と、研磨液供給ラインＬ１１と、研磨液戻しラインＬ１２と、温度調整装置５０を備えている。ここで、研磨液循環装置３１と研磨液供給ラインＬ１１と研磨液戻しラインＬ１２は、第１実施形態とほぼ同様の構成であることから、説明は省略する。
【００７５】
温度調整装置５０は、超伝導加速空洞１２における研磨液の流動方向における一部の温度を調整するものである。超伝導加速器１０は、冷媒槽１１と、超伝導加速空洞１２とを備え、加速空洞１２は、冷媒槽１１内に配置され、両者の間に隙間空間Ｒ２が確保される。温度調整装置５０は、加熱装置であって、超伝導加速空洞１２と超伝導加速空洞１２の外側に配置される冷媒槽１１との隙間空間Ｒ２に熱媒体を供給する熱媒体供給装置５１である。熱媒体供給装置５１は、隙間空間Ｒ２に熱媒体を供給する熱媒体供給ラインＬ１６を有している。このとき、熱媒体供給装置５１は、熱媒体供給ラインＬ１６により隙間空間Ｒ２の下部側だけに熱媒体を供給することで、超伝導加速空洞１２の下部を加熱して温度を調整する。
【００７６】
そのため、研磨液循環装置３１により研磨液を研磨液供給ラインＬ１１から超伝導加速空洞１２の下部に供給し、上部から研磨液戻しラインＬ１２により貯留槽４１に戻す。このとき、温度調整装置５０としての熱媒体供給装置５１は、熱媒体供給ラインＬ１６により隙間空間Ｒ２の下部側だけに熱媒体を供給することで、超伝導加速空洞１２の下部を加熱する。
【００７７】
超伝導加速空洞１２は、内面に研磨液が流動しながら接触することで化学反応により研磨処理が施され、内面が凹凸のない平坦面に加工される。また、超伝導加速空洞１２は、下部が熱媒体により加熱されることから、下部の内面に接触する研磨液も加熱されて温度が上昇する。すると、超伝導加速空洞１２は、下部の内面における研磨厚さが上部の内面における研磨厚さより大きくなる。そのため、超伝導加速空洞１２は、上部と下部で内径が相違することとなり、共振周波数が調整される。
【００７８】
このように第４実施形態の超伝導加速空洞の加工装置にあっては、温度調整装置５０は、超伝導加速空洞１２と冷媒槽１１との隙間空間Ｒ２に熱媒体を供給する熱媒体供給装置５１である。従って、熱媒体供給装置５１により既存の隙間空間Ｒ２に対して熱媒体を供給して超伝導加速空洞１２を加熱することで、設備コストの増加を抑制することができる。
【００７９】
［第５実施形態］
図７は、第５実施形態の超伝導加速空洞の加工装置を表す概略図である。なお、上述した実施形態と同様の機能を有する部材には、同一の符号を付して詳細な説明は省略する。
【００８０】
第５実施形態において、図７に示すように、超伝導加速空洞の加工装置３０Ｄは、研磨液循環装置３１と、研磨液供給ラインＬ１１と、研磨液戻しラインＬ１２と、温度調整装置６０を備えている。ここで、研磨液循環装置３１と研磨液供給ラインＬ１１と研磨液戻しラインＬ１２は、第１実施形態とほぼ同様の構成であることから、説明は省略する。
【００８１】
温度調整装置６０は、超伝導加速空洞１２の下部側を加熱する加熱装置としての電気ヒータ４７と、超伝導加速空洞１２の上部側の冷却する冷却装置６１とを有する。電気ヒータ４７は、冷媒槽１１を介して超伝導加速空洞１２の下部を加熱して温度を調整する。冷却装置６１は、超伝導加速器１０の上部側における外側に配置される。冷却装置６１は、冷却ジャケット６２と、冷媒循環装置６３と、冷媒供給ラインＬ１７と、冷媒戻しラインＬ１８とを有し、冷媒槽１１を介して超伝導加速空洞１２の上部を冷却して温度を調整する。
【００８２】
そのため、研磨液循環装置３１により研磨液を研磨液供給ラインＬ１１から超伝導加速空洞１２の下部に供給し、上部から研磨液戻しラインＬ１２により貯留槽４１に戻す。このとき、電気ヒータ４７が作動することで、冷媒槽１１を介して超伝導加速空洞１２の下部を加熱する。また、冷媒循環装置６３が作動し、冷却水を冷媒供給ラインＬ１７から冷却ジャケット６２内に供給し、冷媒戻しラインＬ１８により戻すことで、冷媒槽１１を介して超伝導加速空洞１２の上部を加熱する。
【００８３】
超伝導加速空洞１２は、内面に研磨液が流動しながら接触することで化学反応により研磨処理が施され、内面が凹凸のない平坦面に加工される。また、超伝導加速空洞１２は、下部が電気ヒータ４７により加熱され、上部が冷却装置６１により冷却されることから、下部の内面に接触する研磨液が加熱されて温度が上昇し、上部の内面に接触する研磨液が冷却されて温度が下降する。すると、超伝導加速空洞１２は、下部の内面における研磨厚さが上部の内面における研磨厚さより大きくなる。そのため、超伝導加速空洞１２は、上部と下部で内径が相違することとなり、共振周波数が調整される。
【００８４】
このとき、研磨液は、超伝導加速空洞１２の内部を上昇するとき、下部で電気ヒータ４７により加熱されて温度上昇し、上部で冷却装置６１により冷却されて温度低下することから、超伝導加速空洞１２の下部と上部の温度偏差は大きい。そのため、超伝導加速空洞１２は、下部の内面と上部の内面との研磨厚さ偏差は大きく、大きな段差が形成することができる。但し、研磨液は、下部を流動する領域と上部を流動する領域で局所的に大きく温度変化するものではないことから、超伝導加速空洞１２の内面に不連続な段差が発生することはない。
【００８５】
このように第５実施形態の超伝導加速空洞の加工装置にあっては、温度調整装置６０として、超伝導加速空洞１２の下部側を加熱する加熱装置としての電気ヒータ４７と、超伝導加速空洞１２の上部側の冷却する冷却装置６１とを有する。従って、電気ヒータ４７により超伝導加速空洞１２の下部側を加熱し、冷却装置６１により超伝導加速空洞１２の上部側の冷却することで、超伝導加速空洞１２内を上昇する研磨液の温度差を確保し、超伝導加速空洞１２の下部側と上部側での研磨厚さ偏差を大きくして共振周波数を容易に調整することができる。
【００８６】
［第６実施形態］
図８は、第６実施形態の超伝導加速空洞の加工装置を表す概略図、図９は、研磨時間に対する研磨厚さ偏差を表すグラフである。なお、上述した実施形態と同様の機能を有する部材には、同一の符号を付して詳細な説明は省略する。
【００８７】
第６実施形態において、図８に示すように、超伝導加速空洞の加工装置３０Ｅは、研磨液循環装置３１と、研磨液供給ラインＬ１１と、研磨液戻しラインＬ１２と、温度調整装置３２と、制御装置８０を備えている。ここで、研磨液循環装置３１と研磨液供給ラインＬ１１と研磨液戻しラインＬ１２と温度調整装置３２は、第１実施形態とほぼ同様の構成であることから、説明は省略する。なお、本実施形態では、超伝導加速器１０の製造途中で、冷媒槽１１のない超伝導加速空洞１２単体に対して加工を行うものである。
【００８８】
研磨液供給ラインＬ１１を流動する研磨液の温度を計測する第１温度センサ８１が設けられると共に、研磨液戻しラインＬ１２を流動する研磨液の温度を計測する第２温度センサ８２が設けられている。また、研磨液循環装置３１により研磨液供給ラインＬ１１を流動して超伝導加速空洞１２に供給される研磨液の供給量を計測する流量センサ８３が設けられている。この場合、流量センサ８３は、流速センサであってもよい。更に、超伝導加速空洞１２の内面における研磨液による研磨厚さを計測する超音波センサ（研磨厚さ計測センサ）８４，８５が設けられている。第１超音波センサ８４は、超伝導加速空洞１２の下部の内面における研磨厚さを計測し、第２超音波センサ８５は、超伝導加速空洞１２の上部の内面における研磨厚さを計測する。
【００８９】
制御装置８０は、第１温度センサ８１、第２温度センサ８２、流量センサ８３、第１超音波センサ８４、第２超音波センサ８５の計測結果が入力される。制御装置８０は、この計測結果と予め設定された研磨時間に対する研磨厚さ偏差のマップに基づいて研磨液循環装置３１と温度調整装置３２を制御する。ここで、制御装置８０は、第１超音波センサ８４が検出した超伝導加速空洞１２の下部の内面における研磨厚さと、第２超音波センサ８５が検出した超伝導加速空洞１２の上部の内面における研磨厚さとを比較することで、研磨厚さ偏差を算出する。
【００９０】
研磨材の温度と研磨材の単位時間当たりの流量（研磨材の流速）と単位時間当たりの研磨厚さとは比例関係にある。即ち、研磨材の温度が上昇すると、単位時間当たりの研磨厚さが増加する。また、研磨材の単位時間当たりの流量が増加すると、単位時間当たりの研磨厚さが減少する。そのため、研磨材により超伝導加速空洞１２の内面に対して研磨処理が施すことで共振周波数の調整を実施するとき、図９に示すように、研磨時間に対する研磨厚さ偏差のマップが設定されている。ここで、研磨厚さ偏差とは、超伝導加速空洞１２の下部の研磨厚さと、超伝導加速空洞１２の上部の研磨厚さとの差であり、この研磨厚さ偏差を所定値とすることで、超伝導加速空洞１２の共振周波数を所定の共振周波数に調整することができる。
【００９１】
制御装置８０は、研磨時間に対して研磨厚さ偏差が低下すると、研磨液循環装置３１により加熱温度を上昇させ、研磨時間に対して研磨厚さ偏差が増加すると、研磨液循環装置３１により加熱温度を低下させる。また、制御装置８０は、研磨時間に対して研磨厚さ偏差が低下すると、温度調整装置３２により研磨材の供給量（供給速度）を低下させ、研磨時間に対して研磨厚さ偏差が増加すると、温度調整装置３２により研磨材の供給量（供給速度）を上昇させる。
【００９２】
このとき、制御装置８０は、研磨液供給ラインＬ１１を流動する研磨液の温度と、研磨液戻しラインＬ１２を流動する研磨液の温度と、研磨液供給ラインＬ１１を流動する研磨液の供給量（供給速度）を監視している。そして、制御装置８０は、研磨時間に対する研磨厚さ偏差のマップの拘わらず、研磨液の温度上限値や下限値を超えないように、または、研磨液の流量上限値や下限値を超えないようにて研磨液循環装置３１と温度調整装置３２を制御する。
【００９３】
第６実施形態の超伝導加速空洞の加工装置にあっては、超伝導加速空洞１２の内面に対する研磨液の流動方向における研磨厚さ偏差を計測する超音波センサ８４，８５と、予め設定された研磨時間に対する研磨厚さ偏差のマップと超音波センサ８４，８５の計測結果に基づいて温度調整装置３２を制御する制御装置８０とを設けている。
【００９４】
従って、超伝導加速空洞１２の共振周波数を高精度に調整することができると共に、超伝導加速空洞１２における不連続な段差の発生を抑制して加工精度の向上を図ることができる。
【００９５】
第６実施形態の超伝導加速空洞の加工装置では、制御装置８０は、予め設定された研磨時間に対する研磨厚さ偏差のマップと超音波センサ８４，８５の計測結果に基づいて研磨液循環装置３１により超伝導加速空洞１２に供給する研磨液の供給量を制御する。従って、超伝導加速空洞１２の共振周波数を高精度に調整することができると共に、超伝導加速空洞１２における不連続な段差の発生を抑制して加工精度の向上を図ることができる。
【００９６】
第６実施形態の超伝導加速空洞の加工装置では、研磨液供給ラインＬ１１を流動する研磨液の温度を計測する第１温度センサ８１と、研磨液戻しラインＬ１２を流動する研磨液の温度を計測する第２温度センサ８２とを設け、制御装置８０は、第１温度センサ８１と第２温度センサ８２の計測結果に基づいて温度調整装置３２または研磨液循環装置３１を制御する。従って、超伝導加速空洞１２の共振周波数を高精度に調整することができる。
【００９７】
第６実施形態の超伝導加速空洞の加工装置では、研磨液循環装置３１により超伝導加速空洞１２に供給する研磨液の供給量を計測する流量センサ８３を設け、制御装置８０は、流量センサ８３の計測結果に基づいて研磨液循環装置３１を制御する。従って、超伝導加速空洞１２の共振周波数を高精度に調整することができる。
【００９８】
なお、上述した第１実施形態から第５実施形態では、温度調整装置を超伝導加速器１０における冷媒槽１１の外側に配置し、冷媒槽１１を介して超伝導加速空洞１２を加熱または冷却するように構成したが、この構成に限定されるものではない。例えば、第６実施形態のように、超伝導加速器１０の製造途中で、超伝導加速空洞１２の外側に温度調整装置を配置し、超伝導加速空洞１２を直接加熱または冷却しながら研磨処理を実施するように構成してもよい。
【００９９】
また、上述した実施形態では、温度調整装置を加熱装置だけで構成したり、加熱装置と冷却装置により構成したりしたが、温度調整装置を冷却装置だけで構成したりしてもよい。更に、加熱装置と冷却装置は、上述したものに限定されるものではない。
【符号の説明】
【０１００】
１０  超伝導加速器
１１  冷媒槽
１２  超伝導加速空洞
２０  冷媒供給口
２１  ビーム導入管
２２  ビーム導出管
２３  ステム
２４  ビーム流通管部
２５  環状流路
２６  接続口
２７  入力結合部
３０，３０Ａ，３０Ｂ，３０Ｃ，３０Ｄ，３０Ｅ  超伝導加速空洞の加工装置
３２，５０，６０  温度調整装置
４１  貯留槽
４２  ポンプ
４３  研磨液冷却装置
４４  熱交換部
４５  ポンプ
４６  三方弁
４７  電気ヒータ
５１  熱媒体供給装置
６１  冷却装置
６２  冷却ジャケット
６３  冷媒循環装置
８０  制御装置
８１  第１温度センサ
８２  第２温度センサ
８３  流量センサ
８４  第１超音波センサ
８５  第２超音波センサ
Ｂ  荷電粒子ビーム
Ｃ１，Ｃ２  中心軸
Ｒ１  内部空間
Ｒ２  隙間空間
Ｌ１１  研磨液供給ライン
Ｌ１２  研磨液戻しライン
Ｌ１３  冷却水供給ライン
Ｌ１４  冷却水戻しライン
Ｌ１５  冷却水迂回ライン
Ｌ１６  熱媒体供給ライン
Ｌ１７  冷媒供給ライン
Ｌ１８  冷媒戻しライン
【図１】
2019192539.tif 000003
【図２】
2019192539.tif 000004
【図３】
2019192539.tif 000005
【図４】
2019192539.tif 000006
【図５】
2019192539.tif 000007
【図６】
2019192539.tif 000008
【図７】
2019192539.tif 000009
【図８】
2019192539.tif 000010
【図９】
2019192539.tif 000011